(57)【要約】【課題】冷却特性および構造強度を改善することによって製品信頼性を向上させるとともに圧力損失の増大を抑制するガスタービン燃焼器を提供する。【解決手段】冷却を必要とする燃焼器ライナ８の一部の領域に、燃焼空気２の流通方向に対して直角に凸となっている直角面２５を有する環状リセス２０を環状流路７側に複数有する構造となっている。環状リセス２０は直角三角形状であり、傾斜面２６が燃焼空気２の流通する流れ方向の上流側を向いている。【選択図】  図３
2015090229.tif 000002
【特許請求の範囲】
【請求項１】
ガスタービン燃焼器であって、
燃焼器ライナと、
この燃焼器ライナの外周側に設けられた外筒と、
前記燃焼器ライナと前記外筒との間に形成された、伝熱媒体が流通する環状流路とを備え、
前記燃焼器ライナは、前記伝熱媒体の流通方向に対して直角に凸となる面を有する環状リセスを前記環状流路側に有する
ことを特徴とするガスタービン燃焼器。
【請求項２】
請求項１記載のガスタービン燃焼器において、
前記環状リセスは、前記伝熱媒体の流通方向に対する断面が直角三角形形状である
ことを特徴とするガスタービン燃焼器。
【請求項３】
請求項２記載のガスタービン燃焼器において、
前記環状リセスは、前記直角三角形状の傾斜面が前記伝熱媒体が流通する流れ方向の上流側を向き、前記直角三角形状の直角面が前記伝熱媒体が流通する流れ方向の上流側を向くよう形成された
ことを特徴とするガスタービン燃焼器。
【請求項４】
請求項３記載のガスタービン燃焼器において、
前記環状リセスは、前記燃焼器ライナの中心軸と平行な中心軸をもつ噴孔が前記直角面に複数設けられた
ことを特徴とするガスタービン燃焼器。
【請求項５】
請求項３記載のガスタービン燃焼器において、
前記環状リセスは、前記燃焼器ライナの中心軸に対して傾斜した中心軸をもつ噴孔が前記直角面に複数設けられた
ことを特徴とするガスタービン燃焼器。
【請求項６】
請求項３記載のガスタービン燃焼器において、
前記燃焼器ライナは、前記環状リセスの前記燃焼器ライナの内周側に位置する環状凹部に環状スリットが設けられた
ことを特徴とするガスタービン燃焼器。
【請求項７】
請求項２記載のガスタービン燃焼器において、
前記環状リセスは、前記直角三角形状の傾斜面が前記伝熱媒体が流通する流れ方向の下流側を向き、前記直角三角形状の直角面が前記伝熱媒体が流通する流れ方向の上流側を向くよう形成された
ことを特徴とするガスタービン燃焼器。
【請求項８】
請求項１記載のガスタービン燃焼器において、
前記環状リセスは、前記伝熱媒体の流通方向に対する断面が矩形形状である
ことを特徴とするガスタービン燃焼器。
【発明の詳細な説明】
【技術分野】
【０００１】
本発明は、伝熱促進型のガスタービン燃焼器に関する。
【背景技術】
【０００２】
ガスタービンなどの燃焼器ライナ、タービン翼、熱交換器、フィン、ボイラ、加熱炉など、冷却、加熱、熱交換等における流体と固体の間の伝熱促進に対しては、各機器に要求される仕様に基づいて様々な構造が考えられている。
【０００３】
例えば、発電用ガスタービンなどの燃焼器においては、ガスタービン効率を損なうことの無い程度の少ない圧力損失で必要な冷却性能を維持し、構造強度の信頼性を維持することが求められている。さらに、環境問題への配慮の観点から、燃焼器内に生じる窒素酸化物（ＮＯｘ）の排出量を低減することが求められている。ＮＯｘの低減は、燃料と空気を燃焼前に混合して燃焼する予混合燃焼を利用し、かつ燃料と空気の混合比（燃空比）が理論混合比よりも小さい状態で燃焼させることによって達成を図っている。
【０００４】
本技術分野の背景として、この点を鑑みたガスタービン燃焼器の構造に関し、特許文献１には、ライナ外周側に環状のリブを配置して形成され、強度向上を図る装置を備える技術が開示されている。このライナにおける円筒形の部材と環状のリブは、お互いに接する部材のところでは溶接およびろう付けで結合されている。
【先行技術文献】
【特許文献】
【０００５】
【特許文献１】特許４１３４５１３号公報
【発明の概要】
【発明が解決しようとする課題】
【０００６】
強制対流伝熱においては、効率向上のため、伝熱促進に対して圧力損失の増大を抑制することが必要である。例えば、ガスタービンの効率向上のためには、燃焼ガス温度を高くする必要があり、それに伴い、ライナ冷却強化が求められる。しかし、更なる冷却促進法では圧力損失増大を避ける必要がある。
【０００７】
そのような中で、上述した特許文献１に記載された技術のように、ライナ外周側に環状のリブを配置することによって、強度を向上させると同時に冷却性を兼ねた構造体（リブ）を備えるものがある。この特許文献１では、従前のものと比較して構造強度、冷却性能および保炎性等の点で優れた面を有している。
【０００８】
しかし、特許文献１では、その基本構造は温度が高温側となる燃焼器ライナ表面に構造体（リブ）を設置するものとなっているため、ライナと構造体が二重に重なり合う個所が存在する。このため、その領域における冷却方法や構造、特に、熱的強度の関係から製品信頼性の確保に多くのコスト・時間を要する。
【０００９】
本発明はこれらを考慮しなされたもので、その目的は、冷却特性および構造強度を改善することによって製品信頼性を向上させるとともに圧力損失の増大を抑制するガスタービン燃焼器を提供することにある。
【課題を解決するための手段】
【００１０】
上記課題を解決するために、例えば特許請求の範囲に記載の構成を採用する。
本発明は、上記課題を解決する手段を複数含んでいるが、その一例を挙げるならば、ガスタービン燃焼器であって、燃焼器ライナと、この燃焼器ライナの外周側に設けられた外筒と、前記燃焼器ライナと前記外筒との間に形成された、伝熱媒体が流通する環状流路とを備え、前記燃焼器ライナは、前記伝熱媒体の流通方向に対して直角に凸となる面を有する環状リセスを前記環状流路側に有することを特徴とする。
【発明の効果】
【００１１】
本発明によれば、冷却特性および構造強度を改善することによって製品信頼性を向上させ、なおかつ圧力損失の増大を抑制することができる。
【図面の簡単な説明】
【００１２】
【図１】本発明の実施例１に係るガスタービン燃焼器とそれを備えたガスタービンプラントの概略構成図である。
【図２】本発明の実施例１に係るガスタービン燃焼器の伝熱促進型ライナの一例を示す概略構成図である。
【図３】図２に示す本発明の実施例１に係るガスタービン燃焼器の伝熱促進側ライナの部分拡大図である。
【図４】本発明の実施例２に係るガスタービン燃焼器の伝熱促進型ライナの一例を示す概略構成図である。
【図５】本発明の実施例３に係るガスタービン燃焼器の伝熱促進型ライナの一例を示す概略構成図である。
【図６】本発明の実施例３に係るガスタービン燃焼器の伝熱促進型ライナの他の一例を示す概略構成図である。
【図７】本発明の実施例４に係るガスタービン燃焼器の伝熱促進型ライナの一例を示す概略構成図である。
【図８】本発明の実施例５に係るガスタービン燃焼器の伝熱促進型ライナの一例を示す概略構成図である。
【図９】本発明の実施例６に係るガスタービン燃焼器の伝熱促進型ライナの一例を示す概略構成図である。
【発明を実施するための形態】
【００１３】
以下に本発明のガスタービン燃焼器の実施例を、図面を用いて説明する。
【００１４】
＜実施例１＞  
本発明のガスタービン燃焼器の実施例１を、図１乃至図３を用いて説明する。
図１は本発明の実施例１に係るガスタービン燃焼器とそれを備えたガスタービンプラントの概略構成図、図２は燃焼器ライナの一部の領域に、外周側に凸となる直角三角形状の環状リセスを形成した伝熱促進型ガスタービン用燃焼器構成の一例を示す図、図３は燃焼器ライナの一部の領域に、外周側に凸となる直角三角形状の環状リセスを形成した伝熱促進型ライナの部分拡大図である。
【００１５】
図１において、ガスタービンプラント（ガスタービン発電設備）は、圧縮機１、燃焼器６、タービン３、発電機７等により概略構成されている。
圧縮機１は、空気を圧縮して高圧の燃焼空気（圧縮空気）を生成する。タービン３は、燃焼器６で生成された燃焼ガス４のエネルギーにより軸駆動力を得る機器である。発電機７は、タービン３によって駆動され、発電を行う。
図示した圧縮機１、タービン３および発電機７の回転軸は機械的に連結されている。
【００１６】
燃焼器６は、圧縮機１から導入される燃焼空気２と燃料を混合して燃焼させることで、高温の燃焼ガス４を生成する機器である。この燃焼器６は、外筒１０と、燃焼器ライナ（内筒）８と、トランジションピース（尾筒）９と、環状流路１１と、プレート１２と、複数のバーナ１３を備えている。
燃焼器ライナ８は、外筒１０の内側に間隔を介して設けられ、燃焼室５を内部に形成する円筒状のライナである。トランジションピース９は、タービン３側のライナ８開口部に連結しており、燃焼室５で生成された燃焼ガス４をタービン３に導く構造体である。外筒１０は、燃焼器に供給される空気の流速や偏流を調節するために、燃焼器ライナ８の外周側に設ける同心状の円筒形状をした構造体である。環状流路１１は、外筒１０とライナ８の間に形成され、圧縮機１から供給される燃焼空気（伝熱媒体）２を流通させるための流路である。プレート１２は、ライナ８の燃焼ガス流通方向上流側端部を全面的に塞ぎ、片側端面が燃焼室５に臨むようにライナ８の中心軸に略直交して配置されている略円板状の部材である。バーナ１３は、プレート１２上に複数配置されており、燃料を噴出するための部材である。
このような燃焼器６では、圧縮機１から供給される燃焼空気２は、燃焼器ライナ８と外筒１０との間の環状流路１１内を流れる際、燃焼器ライナ８の対流冷却流体として使用され、その後、複数のバーナ１３に供給され、それぞれ燃焼用空気として用いられる。
【００１７】
また、図２および図３に示すように、冷却を必要とする燃焼器ライナ８の一部の領域に、燃焼空気２の流通方向に対して直角に凸となっている直角面２５を有する環状リセス２０を環状流路７側に複数有する構造となっている。図２においては、環状リセス２０は直角三角形状であり、傾斜面２６が燃焼空気２の流通する流れ方向の上流側を向き、直角面２５が燃焼空気２の流通する流れ方向の下流側を向いている。
【００１８】
この直角三角形状の環状リセス２０を設けたことによる具体的な伝熱作用を図３を用いて以下説明する。
【００１９】
図３に示すように、燃焼空気２が燃焼器ライナ８と外筒１０の間の環状流路１１を流れるときに、この燃焼空気２が傾斜面２６を有する環状リセス２０に到達した際、リセス外側表面の燃焼空気は縮流されるために流速が加速する。一般に、伝熱特性は、燃焼空気２の速度が速くなるに従い熱伝達率が大きくなり伝熱効果が向上することが知られている。環状リセス２０の傾斜面２６の表面において燃焼空気２の流速が加速した分、伝熱特性は良くなり冷却特性は向上することになる。また、加熱媒体である燃焼ガス４が流通する燃焼器ライナ８の内周側の環状リセス凹部（環状リセス２０が設けられたことによって形成された）において、燃焼ガス４の一部が環状リセス凹部に流れ込むことによって環状リセス凹部内に循環流３１が形成される。この循環流３１自体の温度は高温であるが、循環流速度が遅いため、環状リセス２０への熱伝達率が小さくなり、伝熱特性はその分低下する。このように、環状リセス２０の部分において、ライナ内周側の環状リセス２０の凹部では加熱媒体である循環流からの伝熱量は小さく、反対にライナ外周側の環状リセス２０の凸部では伝熱特性が向上するため、全体として冷却性能は向上することになる。
【００２０】
また、ライナ外周側の環状リセス２０の下流側では、はく離渦３０が生成される。このため、このはく離渦３０が環状リセス２０の下流域のライナ壁面近傍に生ずる燃焼空気の境界層を破壊することによって燃焼器ライナ８の表面の冷却促進効果が得られる。更に、直角三角形状凸部の環状リセス２０を構成している直角部の形状においては、Ｌ字形状の環状リブを設ける場合と同じ構造的特性があるため、剛性を増すことができ、強度向上の効果から振動等による破損を防ぐこともできる。
【００２１】
更に、伝熱促進型ライナの構造において、冷却および強度向上以外の効果を述べるとするならば、圧力損失の低減がある。すなわち、従来のような燃焼器ライナの強度を向上させるためのライナ外周囲に環状のリブを配置して装備した構造では、急激な燃焼空気２の縮流現象により圧力損失を増加させる要因になる。これに対して、本実施例では、三角形状によるスムーズな縮流となるため、その分、圧力損失低減が期待できる。
【００２２】
このように、上述した本発明のガスタービン燃焼器の実施例１では、燃焼器ライナ８の環状流路１１側の一部の領域に、外周側に凸となる直角面２５を有する断面が直角三角形形状の環状リセス２０を設けた。これにより、冷却性能を向上させると同時に強度向上を図ることができる。また、燃焼器ライナ外周側に溶接で接合するＬ字形状のリブを無くせることから、従来のように金属板の二重に重なり合う個所が無くなるため、燃焼器ライナの信頼性向上と、それに伴う長寿命化が図れる。更に、傾斜面２６を有していることにより、部材の表面に沿って燃焼空気２を流通させて部材と燃焼空気２との間で熱授受を行うようにしながら、圧力損失の増大を抑制することができる。従って、ガスタービン効率を損なうことの無い程度の少ない圧力損失で必要な冷却性能を維持して、構造強度の信頼性を向上させ、予混合燃焼空気を増加させて燃空比を小さくし局所火炎温度を低下させることにより低ＮＯｘ化を図ることが可能となる。
【００２３】
＜実施例２＞  
本発明のガスタービン燃焼器の実施例２を図４を用いて説明する。
実施例２におけるガスタービン燃焼器は、環状リセス以外の構成は実施例１のガスタービン燃焼器と略同じであり、詳細は省略する。
図４は実施例２における伝熱促進型ガスタービン用燃焼器の構成を示す図である。
【００２４】
図４に示すように、実施例２に係るガスタービン燃焼器は、燃焼器ライナ８の外周側の一部の領域に、凸部となる直角三角形状の環状リセス２０を備えている。また、燃焼空気２が流通する流れ方向の下流側となる環状リセス２０の直角面２５に、燃焼器ライナ８の中心軸と平行した中心軸をもつ噴孔２１が環状リセス２０の円周方向に複数設けられたものである。なお、図示の都合上、噴孔２１は一つのみ示している。
【００２５】
本発明のガスタービン燃焼器の実施例２においても、前述したガスタービン燃焼器の実施例１とほぼ同様な効果が得られる。
【００２６】
加えて、噴孔２１から流入する燃焼空気２により、環状リセス内周面に空気層が形成されることから冷却効果が更に向上する。すなわち、噴孔２１から流入する燃焼空気２によって、環状リセス２０の内周側壁面と高温の循環流３１との間に空気層が形成されるため、高温の循環流が直接環状リセス２０の内周側壁面に接触することが無くなり、リセス部における冷却効果が大きくなるとの効果が得られる。
【００２７】
＜実施例３＞  
本発明のガスタービン燃焼器の実施例３を図５および図６を用いて説明する。
実施例３におけるガスタービン燃焼器は、環状リセス以外の構成は実施例１のガスタービン燃焼器と略同じであり、詳細は省略する。
図５は実施例３における伝熱促進型ガスタービン用燃焼器の構成を示す図、図６は実施例３における伝熱促進型ガスタービン用燃焼器の構成の他の例を示す図である。
【００２８】
図５に示すように、実施例３に係るガスタービン燃焼器は、燃焼器ライナ８の外周側の一部の領域に、凸部となる直角三角形状の環状リセス２０を備えている。また、燃焼空気２が流通する流れ方向の下流側となる環状リセス２０の直角面２５に、燃焼器ライナ８の中心軸に対して傾斜した中心軸をもつ噴孔２２を環状リセス２０の円周方向に複数設けたものである。
【００２９】
本発明のガスタービン燃焼器の実施例３においても、前述したガスタービン燃焼器の実施例１とほぼ同様な効果が得られる。
【００３０】
加えて、傾斜した複数の噴孔２２から流入する燃焼空気２により、環状リセス内周面の冷却効果が更に向上する。すなわち、傾斜した複数の噴孔２２から流入する燃焼空気２によって、環状リセス内周側の凹部で生成される循環流３１を押し出すもしくは破壊する作用により、常に低温の燃焼空気２が凹部側に供給されることで、リセス部における冷却効果が大きくなる、との効果が得られる。
【００３１】
なお、図６に示すように、燃焼器ライナ８の中心軸と平行した中心軸をもつ複数の噴孔２１と、燃焼器ライナの中心軸に対して傾斜した中心軸をもつ複数の噴孔２２とを、環状リセス２０の直角面２５に同時に設けることができる。
【００３２】
＜実施例４＞  
本発明のガスタービン燃焼器の実施例４を図７を用いて説明する。
実施例４におけるガスタービン燃焼器は、環状リセス周辺の構成以外は実施例１のガスタービン燃焼器と略同じであり、詳細は省略する。
図７は実施例４における伝熱促進型ガスタービン用燃焼器の構成を示す図である。
【００３３】
図７に示すように、実施例４に係るガスタービン燃焼器は、加熱媒体が流通する燃焼器ライナ内周側に形成された環状凹部に傾斜板２３が設けられていることによって環状のスリット２３ａが形成されているものである。また、環状リセス２０の直角面２５に、燃焼器ライナ８の中心軸に対して傾斜した中心軸をもつ噴孔２２が環状リセス２０の円周方向に複数設けられている。
【００３４】
本発明のガスタービン燃焼器の実施例４においても、前述したガスタービン燃焼器の実施例１とほぼ同様な効果が得られる。
【００３５】
加えて、燃焼器ライナ内周側の環状凹部とスリット２３ａによって形成された空間領域に、環状リセス２０の直角面２５に設けられた傾斜した複数の噴孔２２から流入する燃焼空気２により、リセス部全体が冷却される。更に、スリット２３ａの開口部から排出される空気はフィルム状となることから、空気の膜形成による断熱作用により、加熱媒体である高温の燃焼ガス４から燃焼器ライナ８を保護することができるとの効果が得られる。
【００３６】
なお、環状リセス２０の直角面２５に燃焼器ライナ８の中心軸に対して傾斜した中心軸をもつ噴孔２２を設けたが、これに限られず、燃焼器ライナ８の中心軸と平行した中心軸をもつ複数の噴孔２１を直角面２５に設けることも可能である。
【００３７】
＜実施例５＞  
本発明のガスタービン燃焼器の実施例５を図８を用いて説明する。
実施例５におけるガスタービン燃焼器は、環状リセス以外の構成は実施例１のガスタービン燃焼器と略同じであり、詳細は省略する。
図８は実施例５における伝熱促進型ガスタービン用燃焼器の構成を示図である。
【００３８】
図８に示すように、実施例５に係るガスタービン燃焼器は、燃焼器ライナ８の一部に外周面に突き出した矩形形状の環状リセス２４を備えている。この環状リセス２４では、燃焼器ライナ８の表面と平行となる面の長さを、直角面２５の長さより大きくしている。
【００３９】
本発明のガスタービン燃焼器の実施例５においては、燃焼器ライナ８の内周側に形成された環状リセス凹部において、燃焼ガスの一部が流れ込むことによる循環流３１が形成される。この循環流自体の温度は高温であるが、循環流速度が遅いため、リセス２４への伝熱量は小さい。一方、ライナ８の外周側の環状リセス２４では、燃焼空気２の上流側に位置する直角面２５の先端角部において、そこを起点として新たに燃焼空気２の境界層３２が生成される。この燃焼空気２の境界層３２の生成初期は非常に薄い層厚さのため、熱が伝わりやすく、伝熱特性は良くなる傾向を有している。そして、燃焼空気２が下流側に移動するに従って層厚さは大きくなるため、徐々に伝熱特性は低下する。このように、本実施例のリセス２４部においては、ライナ内周側の環状リセス凹部では加熱媒体である循環流からの伝熱量は小さく、反対に、ライナ外周側の環状リセス凸部では伝熱特性が向上するため、全体として冷却性能は向上することになる。
【００４０】
また、四角形状凸部の環状リセス２４を構成している直角面２５の形状においては、従来のようなＬ字形状の環状リブを設ける場合と同じ構造的特性があり、かつ、リセス断面の直角面２５を２ケ所有していることから、更に剛性を増すことができるため振動等による破損を防ぐ効果も一層向上する。
【００４１】
＜実施例６＞  
本発明のガスタービン燃焼器の実施例６を図９を用いて説明する。
実施例６におけるガスタービン燃焼器は、環状リセス以外の構成は実施例１のガスタービン燃焼器と略同じであり、詳細は省略する。
図９は実施例６における伝熱促進型ガスタービン用燃焼器の構成を示す図である。
【００４２】
図９に示すように、実施例６に係るガスタービン燃焼器は、燃焼器ライナ８の一部の領域に、外周側に凸となる断面が直角三角形状の環状リセス２０ａを備えている。この環状リセス２０ａは、直角面２５が燃焼空気２が流通する流れ方向の上流側を向いており、傾斜面２６が燃焼空気２が流通する流れ方向の下流側を向いている。また、環状リセス直角面２５に燃焼器ライナ８の中心軸と平行した中心軸をもつ噴孔２１が環状リセス２０の円周方向に複数設けられている。
【００４３】
本発明のガスタービン燃焼器の実施例６においても、前述したガスタービン燃焼器の実施例１とほぼ同様な効果が得られる。
【００４４】
加えて、環状リセス２０ａの直角面２５の付近での燃焼空気２の静圧が回復する分、噴孔２１から流入する燃焼空気２がより多く流入する。このため、環状リセス２５の内周側壁面と高温の循環流３１との間に強い空気層が形成されることから、高温の循環流が直接環状リセス２０の内周側壁面に接触することが無くなり、リセス部における冷却効果が一層大きくなる、との効果が得られる。
【００４５】
＜その他＞  
なお、本発明は上記の実施例に限られず、種々の変形、応用が可能なものである。上述の実施例は本発明を分かりやすく説明するために詳細に説明したものであり、必ずしも説明した全ての構成を備えるものに限定されるものではない。
【００４６】
例えば、環状リセス２０，２０ａ、２４は、燃焼器ライナ８と一体形成されていることが望ましい。
【符号の説明】
【００４７】
１…圧縮機、
２…燃焼空気、
３…タービン、
４…燃焼ガス、
５…燃焼室、
６…燃焼器、
７…発電機、
８…ライナ、
９…トランジションピース、
１０…外筒、
１１…環状流路、
１２…プレート、
１３…バーナ、
２０…リセス、
２０ａ…逆形状リセス、
２１…噴孔、
２２…斜め噴孔、
２３…傾斜板、
２３ａ…スリット、
２４…矩形リセス、
２５…直角面、
２６…傾斜面、
３０…はく離渦、
３１…循環流、
３２…境界層。
【図１】
2015090229.tif 000003
【図２】
2015090229.tif 000004
【図３】
2015090229.tif 000005
【図４】
2015090229.tif 000006
【図５】
2015090229.tif 000007
【図６】
2015090229.tif 000008
【図７】
2015090229.tif 000009
【図８】
2015090229.tif 000010
【図９】
2015090229.tif 000011